(57)【要約】【課題】診療入力の際に、同一診療区分内の複数の医薬品の入力を効率化できる診療報酬点数計算装置、診療報酬点数計算装置の処理方法及びプログラム等を提供する。【解決手段】診療区分毎に診療報酬点数の計算を行う診療報酬点数計算装置は、診療区分毎に区切り線により区切られた領域を設定する区切り線設定手段と、診療区分に対応した診療項目の入力を促し、診療項目の受付処理を行う診療項目受付処理手段と、診療項目に基づいて、診療区分毎に診療報酬点数の計算処理を行う診療報酬点数計算手段とを含む。診療項目受付処理手段は、当該診療区分内のすべての医薬品について医薬品情報を順番に受け付ける医薬品情報受付処理手段と、全医薬品の医薬品情報の受け付け後、各医薬品に対応した医薬品数量情報を順番に受け付ける医薬品数量情報受付処理手段と、全医薬品の医薬品数量情報の受け付け後、回数情報を受け付ける回数情報受付処理手段とを有する。【選択図】図２
2011013777.tif 000002
【特許請求の範囲】
【請求項１】
診療区分毎に診療報酬点数の計算を行う診療報酬点数計算装置であって、
表示手段の表示領域内に、診療区分毎に区切り線により区切られた領域を設定する区切り線設定手段と、
診療区分に対応した診療項目の受付欄を表示して該診療項目の入力を促し、所与の入力手段を介して前記診療項目の受付処理を行う診療項目受付処理手段と、
前記診療項目受付処理手段によって受け付けられた前記診療項目に基づいて、前記診療区分毎に診療報酬点数の計算処理を行う診療報酬点数計算手段とを含み、
前記診療項目受付処理手段は、
当該診療区分内のすべての医薬品について各医薬品の医薬品情報を順番に受け付ける医薬品情報受付処理手段と、
前記医薬品情報受付処理手段によって前記当該診療区分内の全医薬品の医薬品情報を受け付けた後、各医薬品に対応した医薬品数量情報を順番に受け付ける医薬品数量情報受付処理手段と、
前記医薬品数量情報受付処理手段によって全医薬品の医薬品数量情報を受け付けた後、回数情報を受け付ける回数情報受付処理手段とを有し、
前記医薬品数量情報受付処理手段及び前記回数情報受付処理手段は、
前記区切り線設定手段によって前記区切り線により区切られた前記当該診療区分内の前記医薬品数量情報及び前記回数情報を受け付けることを特徴とする診療報酬点数計算装置。
【請求項２】
請求項１において、
前記診療報酬点数計算手段は、
前記医薬品情報受付処理手段によって受け付けられた全医薬品の医薬品情報と、前記医薬品数量情報受付処理手段によって受け付けられた各医薬品に対応した医薬品数量情報と、前記回数情報受付処理手段によって受け付けられた前記回数情報とに基づいて、前記当該診療区分の診療報酬点数の計算処理を行うことを特徴とする診療報酬点数計算装置。
【請求項３】
請求項１又は２において、
前記医薬品数量情報受付処理手段は、
直前の医薬品数量情報が更新された後、次の医薬品数量情報を選択した入力待ち状態で、新たな医薬品数量情報を受け付けることを特徴とする診療報酬点数計算装置。
【請求項４】
請求項１乃至３のいずれかにおいて、
医薬品毎に医薬品に対応した入力区分が記憶される医薬品情報属性記憶手段を含み、
前記医薬品数量情報受付処理手段は、
前記医薬品情報属性記憶手段に記憶される医薬品の入力区分に基づいて、次に更新すべき医薬品に対応した医薬品数量情報を受け付けることを特徴とする診療報酬点数計算装置。
【請求項５】
請求項１乃至４のいずれかにおいて、
前記診療項目受付処理手段は、
当該診療区分内の全医薬品の用法に対応した用法情報を受け付ける用法情報受付処理手段を含み、
前記区切り線設定手段は、
前記用法情報受付処理手段によって前記用法情報が受け付けられた後に、前記領域を設定することを特徴とする診療報酬点数計算装置。
【請求項６】
診療区分毎に診療報酬点数の計算を行う診療報酬点数計算装置の処理方法であって、
表示手段の表示領域内に、診療区分毎に区切り線により区切られた領域を設定する区切り線設定ステップと、
診療区分に対応した診療項目の受付欄を表示して該診療項目の入力を促し、所与の入力手段を介して前記診療項目の受付処理を行う診療項目受付処理ステップと、
前記診療項目受付処理手段によって受け付けられた前記診療項目に基づいて、前記診療区分毎に診療報酬点数の計算処理を行う診療報酬点数計算ステップとを含み、
前記診療項目受付処理ステップは、
当該診療区分内のすべての医薬品について各医薬品の医薬品情報を順番に受け付ける医薬品情報受付処理ステップと、
前記医薬品情報受付処理ステップにおいて前記当該診療区分内の全医薬品の医薬品情報を受け付けた後、各医薬品に対応した医薬品数量情報を順番に受け付ける医薬品数量情報受付処理ステップと、
前記医薬品数量情報受付処理ステップにおいて全医薬品の医薬品数量情報を受け付けた後、回数情報を受け付ける回数情報受付処理ステップとを有し、
前記医薬品数量情報受付処理ステップ及び前記回数情報受付処理ステップは、
前記区切り線設定ステップにおいて前記区切り線により区切られた前記当該診療区分内の前記医薬品数量情報及び前記回数情報を受け付けることを特徴とする診療報酬点数計算装置の処理方法。
【請求項７】
請求項６において、
前記診療報酬点数計算ステップは、
前記医薬品情報受付処理ステップにおいて受け付けられた全医薬品の医薬品情報と、前記医薬品数量情報受付処理ステップにおいて受け付けられた各医薬品に対応した医薬品数量情報と、前記回数情報受付処理ステップにおいて受け付けられた前記回数情報とに基づいて、前記当該診療区分の診療報酬点数の計算処理を行うことを特徴とする診療報酬点数計算装置の処理方法。
【請求項８】
請求項７において、
前記医薬品数量情報受付処理ステップは、
直前の医薬品数量情報が更新された後、次の医薬品数量情報を選択した入力待ち状態で、新たな医薬品数量情報を受け付けることを特徴とする診療報酬点数計算装置の処理方法。
【請求項９】
請求項７又は８において、
前記医薬品数量情報受付処理ステップは、
予め医薬品毎に設定される入力区分に基づいて、次に更新すべき医薬品に対応した医薬品数量情報を受け付けることを特徴とする診療報酬点数計算装置の処理方法。
【請求項１０】
請求項６乃至９のいずれかにおいて、
当該診療区分内の全医薬品の用法に対応した用法情報を受け付ける用法情報受付処理ステップを含み、
前記区切り線設定ステップは、
前記用法情報受付処理ステップにおいて前記用法情報が受け付けられた後に、前記領域を設定することを特徴とする診療報酬点数計算装置の処理方法。
【請求項１１】
請求項６乃至１０のいずれか記載の診療報酬点数計算装置の処理方法を、コンピュータに実行させることを特徴とするプログラム。
【発明の詳細な説明】
【技術分野】
【０００１】
本発明は、診療報酬点数計算装置、診療報酬点数計算装置の処理方法及びプログラム等に関する。
【背景技術】
【０００２】
近年、医療分野においてコンピュータ技術やネットワーク技術を駆使して医療事務処理作業等の効率化が進められており、例えば、診療行為等に対応した診療報酬点数が記載された電子レセプトを用いて診療報酬の請求が行われる。診療報酬点数（診療報酬保険点数）は、診療入力処理として医療機関において患者を診療した内容に応じた診療項目等に応じて求められ、診療報酬の請求は、求められた診療報酬点数等を電子レセプトに記載して健康保険組合等の保険者に対して行うものである。
【０００３】
このような診療報酬点数の計算処理については、高度な専門知識と複雑な点数計算処理が必要なため、点数計算の正確性や作業の効率化が望まれている。例えば非特許文献１には、診療予約、診療受付、診療履歴、及び会計処理等を一体的にシステムとして管理する一方、診療入力の内容が編集可能に構成されたシステムが開示されている。また、特許文献１には、１つのガイドキーを１度指示するだけで現在実施可能な処理の一覧がリスト表示するようにしたシステムが開示されている。このシステムでは、既に入力済みの薬剤についての設定を変更する場合に、ユーザがマウスカーソルで所望の薬剤をクリックしてその行を反転表示させておいて、リスト表示させ、処理区分を行単位に設定させている。更に、特許文献２には、処方する薬品の適否の判断をレベル分けして行うことができる電子カルテ装置が開示されている。
【先行技術文献】
【特許文献】
【０００４】
【特許文献１】特開２００５−２１５７６７号公報
【特許文献２】特開２００５−３１６９６７号公報
【非特許文献】
【０００５】
【非特許文献１】株式会社イーエムシステムズの製品（Dr.ReceptyII）紹介のホームページ（http://www.emsystems.co.jp/medical/dr/index.html）
【発明の概要】
【発明が解決しようとする課題】
【０００６】
ところで、診療報酬点数は診療区分毎に計算される。そのため、処方や調剤の誤りを無くすために表示装置には区切り線で区切られた領域が表示され、この領域内において診療区分に対応した診療項目が入力される。一般的に、医療機関の担当者が、診療区分と該診療区分に対応した診療項目を入力した後に、区切り線の設定を行う。
【０００７】
しかしながら、例えば医療機関の担当者の経験が浅い場合、診療区分内に設定する医薬品の名称やコードを記憶していないので、当該診療区分内に入力する医薬品について、調べながら入力していくという作業を行わなければならない。従って、医薬品を入力する毎に当該医薬品の数量を入力するようにしているため、医薬品の入力作業を効率化できなかった。この点、非特許文献１、特許文献１及び特許文献２には、同一診療区分内の医薬品を効率的に入力できるようにした構成については開示されてない。
【０００８】
本発明は、以上のような技術的課題に鑑みてなされたものであり、その目的の１つは、診療入力の際に、同一診療区分内の複数の医薬品の入力を効率化できる診療報酬点数計算装置、診療報酬点数計算装置の処理方法及びプログラム等を提供することにある。
【課題を解決するための手段】
【０００９】
（１）本発明の一態様は、診療区分毎に診療報酬点数の計算を行う診療報酬点数計算装置が、表示手段の表示領域内に、診療区分毎に区切り線により区切られた領域を設定する区切り線設定手段と、診療区分に対応した診療項目の受付欄を表示して該診療項目の入力を促し、所与の入力手段を介して前記診療項目の受付処理を行う診療項目受付処理手段と、前記診療項目受付処理手段によって受け付けられた前記診療項目に基づいて、前記診療区分毎に診療報酬点数の計算処理を行う診療報酬点数計算手段とを含み、前記診療項目受付処理手段は、当該診療区分内のすべての医薬品について各医薬品の医薬品情報を順番に受け付ける医薬品情報受付処理手段と、前記医薬品情報受付処理手段によって前記当該診療区分内の全医薬品の医薬品情報を受け付けた後、各医薬品に対応した医薬品数量情報を順番に受け付ける医薬品数量情報受付処理手段と、前記医薬品数量情報受付処理手段によって全医薬品の医薬品数量情報を受け付けた後、回数情報を受け付ける回数情報受付処理手段とを有し、前記医薬品数量情報受付処理手段及び前記回数情報受付処理手段は、前記区切り線設定手段によって前記区切り線により区切られた前記当該診療区分内の前記医薬品数量情報及び前記回数情報を受け付ける。
【００１０】
本態様によれば、診療区分内に設定される診療項目として医薬品情報をすべて受け付けた後に、各医薬品情報に対応した医薬品数量情報を順番に受け付け、最後に回数情報お受け付けるようにしたので、例えば診療区分内に設定する医薬品の名称やコードを記憶していない、経験の浅い医療機関の担当者が、当該診療区分内に入力する医薬品についてコードを調べながら入力した後に数量を入力し、再び次の医薬品についてコードを調べる等の繰り返し作業を行うことなく、医薬品の入力作業を効率化できるようになる。
【００１１】
（２）本発明の他の態様に係る診療報酬点数計算装置では、前記診療報酬点数計算手段は、前記医薬品情報受付処理手段によって受け付けられた全医薬品の医薬品情報と、前記医薬品数量情報受付処理手段によって受け付けられた各医薬品に対応した医薬品数量情報と、前記回数情報受付処理手段によって受け付けられた前記回数情報とに基づいて、前記当該診療区分の診療報酬点数の計算処理を行う。
【００１２】
本態様によれば、１つの医療区分内の全医薬品の医薬品情報を入力し、その後に各医薬品の数量情報、最後に当該医療区分の回数情報を入力し、これらの情報に基づいて診療報酬点数の計算処理を行うようにしたので、医薬品の入力作業を効率化し、正確な診療報酬点数を計算できる診療報酬点数計算装置を提供できるようになる。
【００１３】
（３）本発明の他の態様に係る診療報酬点数計算装置では、前記医薬品数量情報受付処理手段は、直前の医薬品数量情報が更新された後、次の医薬品数量情報を選択した入力待ち状態で、新たな医薬品数量情報を受け付ける。
【００１４】
本態様によれば、医薬品数量情報を変更する場合に、ユーザが変更対象の医薬品数量情報を選択する操作を行ってから、変更すべき医薬品数量情報を入力する必要がなくなり、医薬品数量情報を例えば数値として入力することを繰り返すのみですべての医薬品情報の医薬品数量情報を設定でき、入力効率を大幅に向上させることができるようになる。
【００１５】
（４）本発明の他の態様に係る診療報酬点数計算装置では、医薬品毎に医薬品に対応した入力区分が記憶される医薬品情報属性記憶手段を含み、前記医薬品数量情報受付処理手段は、前記医薬品情報属性記憶手段に記憶される医薬品の入力区分に基づいて、次に更新すべき医薬品に対応した医薬品数量情報を受け付ける。
【００１６】
本態様によれば、医薬品数量情報受付処理手段は、医薬品情報の入力区分に基づいて、次に更新すべき医薬品情報に対応した医薬品数量情報を受け付けることができるので、ユーザは、次に設定すべき医薬品数量情報の入力の操作を簡素化でき、医薬品数量情報の入力を大幅に効率化できるようになる。
【００１７】
（５）本発明の他の態様に係る診療報酬点数計算装置では、前記診療項目受付処理手段は、当該診療区分内の全医薬品の用法に対応した用法情報を受け付ける用法情報受付処理手段を含み、前記区切り線設定手段は、前記用法情報受付処理手段によって前記用法情報が受け付けられた後に、前記領域を設定する。
【００１８】
本態様によれば、用法情報を受け付けた後に区切り線設定を行うようにしたので、１つの診療区分内に診療項目として医薬品情報を設定する際に、経験の浅い医療機関の担当者であっても、医薬品の入力作業を効率化でき、１つの診療区分内の診療報酬点数の計算を効率化できるようになる。
【００１９】
（６）本発明の他の態様は、診療区分毎に診療報酬点数の計算を行う診療報酬点数計算装置の処理方法が、表示手段の表示領域内に、診療区分毎に区切り線により区切られた領域を設定する区切り線設定ステップと、診療区分に対応した診療項目の受付欄を表示して該診療項目の入力を促し、所与の入力手段を介して前記診療項目の受付処理を行う診療項目受付処理ステップと、前記診療項目受付処理手段によって受け付けられた前記診療項目に基づいて、前記診療区分毎に診療報酬点数の計算処理を行う診療報酬点数計算ステップとを含み、前記診療項目受付処理ステップは、当該診療区分内のすべての医薬品について各医薬品の医薬品情報を順番に受け付ける医薬品情報受付処理ステップと、前記医薬品情報受付処理ステップにおいて前記当該診療区分内の全医薬品の医薬品情報を受け付けた後、各医薬品に対応した医薬品数量情報を順番に受け付ける医薬品数量情報受付処理ステップと、前記医薬品数量情報受付処理ステップにおいて全医薬品の医薬品数量情報を受け付けた後、回数情報を受け付ける回数情報受付処理ステップとを有し、前記医薬品数量情報受付処理ステップ及び前記回数情報受付処理ステップは、前記区切り線設定ステップにおいて前記区切り線により区切られた前記当該診療区分内の前記医薬品数量情報及び前記回数情報を受け付ける。
【００２０】
本態様によれば、診療区分内に設定される診療項目として医薬品情報をすべて受け付けた後に、各医薬品情報に対応した医薬品数量情報を順番に受け付け、最後に回数情報お受け付けるようにしたので、例えば診療区分内に設定する医薬品の名称やコードを記憶していない、経験の浅い医療機関の担当者が、当該診療区分内に入力する医薬品についてコードを調べながら入力した後に数量を入力し、再び次の医薬品についてコードを調べる等の繰り返し作業を行うことなく、医薬品の入力作業を効率化できるようになる。
【００２１】
（７）本発明の他の態様に係る診療報酬点数計算装置の処理方法では、前記診療報酬点数計算ステップは、前記医薬品情報受付処理ステップにおいて受け付けられた全医薬品の医薬品情報と、前記医薬品数量情報受付処理ステップにおいて受け付けられた各医薬品に対応した医薬品数量情報と、前記回数情報受付処理ステップにおいて受け付けられた前記回数情報とに基づいて、前記当該診療区分の診療報酬点数の計算処理を行う。
【００２２】
本態様によれば、１つの医療区分内の全医薬品の医薬品情報を入力し、その後に各医薬品の数量情報、最後に当該医療区分の回数情報を入力し、これらの情報に基づいて診療報酬点数の計算処理を行うようにしたので、医薬品の入力作業を効率化し、正確な診療報酬点数を計算できるようになる。
【００２３】
（８）本発明の他の態様に係る診療報酬点数計算装置の処理方法では、前記医薬品数量情報受付処理ステップは、直前の医薬品数量情報が更新された後、次の医薬品数量情報を選択した入力待ち状態で、新たな医薬品数量情報を受け付ける。
【００２４】
本態様によれば、医薬品数量情報を変更する場合に、ユーザが変更対象の医薬品数量情報を選択する操作を行ってから、変更すべき医薬品数量情報を入力する必要がなくなり、医薬品数量情報を例えば数値として入力することを繰り返すのみですべての医薬品情報の医薬品数量情報を設定でき、入力効率を大幅に向上させることができるようになる。
【００２５】
（９）本発明の他の態様に係る診療報酬点数計算装置の処理方法では、前記医薬品数量情報受付処理ステップは、予め医薬品毎に設定される入力区分に基づいて、次に更新すべき医薬品に対応した医薬品数量情報を受け付ける。
【００２６】
本態様によれば、医薬品数量情報受付処理ステップは、医薬品情報の入力区分に基づいて、次に更新すべき医薬品情報に対応した医薬品数量情報を受け付けることができるので、ユーザは、次に設定すべき医薬品数量情報の入力の操作を簡素化でき、医薬品数量情報の入力を大幅に効率化できるようになる。
【００２７】
（１０）本発明の他の態様に係る診療報酬点数計算装置の処理方法では、当該診療区分内の全医薬品の用法に対応した用法情報を受け付ける用法情報受付処理ステップを含み、前記区切り線設定ステップは、前記用法情報受付処理ステップにおいて前記用法情報が受け付けられた後に、前記領域を設定する。
【００２８】
本態様によれば、用法情報を受け付けた後に区切り線設定を行うようにしたので、１つの診療区分内に診療項目として医薬品情報を設定する際に、経験の浅い医療機関の担当者であっても、医薬品の入力作業を効率化でき、１つの診療区分内の診療報酬点数の計算を効率化できるようになる。
【００２９】
（１１）本発明の他の態様は、コンピュータ読み取り可能なプログラムが、上記のいずれか記載の診療報酬点数計算装置の処理方法を、コンピュータに実行させる。
【００３０】
本態様によれば、診療入力の際に、同一診療区分内の複数の医薬品の入力を効率化できる診療報酬点数計算装置を制御するプログラムを提供できるようになる。
【図面の簡単な説明】
【００３１】
【図１】本実施形態における診療報酬点数計算装置が適用される医療事務支援システムの処理例のフロー図。
【図２】本実施形態における診療報酬点数計算装置の構成例のブロック図。
【図３】本実施形態における診療区分の説明図。
【図４】本実施形態における診療区分内の医薬品入力の例の説明図。
【図５】本実施形態における診療区分内の医薬品入力の例の説明図。
【図６】本実施形態における診療区分内の医薬品入力の例の説明図。
【図７】本実施形態における診療区分内の医薬品入力の例の説明図。
【図８】本実施形態における診療報酬点数計算装置の処理例のフロー図。
【図９】図８のステップＳ３６における医薬品数量情報受付処理の処理例のフロー図。
【図１０】図１０（Ａ）、図１０（Ｂ）は本実施形態における医薬品情報属性テーブルの説明図。
【図１１】本実施形態における診療報酬点数計算装置が実現する機能の一例の説明図。
【図１２】本実施形態における診療報酬点数計算装置が実現する機能の一例の説明図。
【図１３】本実施形態における診療報酬点数計算装置が実現する機能の一例の説明図。
【図１４】本実施形態における診療報酬点数計算装置が実現する機能の一例の説明図。
【図１５】本実施形態における診療報酬点数計算装置が実現する機能の一例の説明図。
【図１６】本実施形態における診療報酬点数計算装置が実現する機能の一例の説明図。
【図１７】本実施形態における診療報酬点数計算装置が実現する機能の一例の説明図。
【図１８】本実施形態における診療報酬点数計算装置が実現する機能の一例の説明図。
【発明を実施するための形態】
【００３２】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００３３】
図１に、本発明に係る実施形態における診療報酬点数計算装置が適用される医療事務支援システムの処理例のフロー図を示す。
【００３４】
このシステムは、患者毎に、診療履歴等をデータベースに登録して、各患者の来院予約の受付処理から診療後の会計処理までを一元的に管理する。即ち、図１に示すように、このシステムは、予約受付処理として、医療機関にて診療を受ける日時の予約状況を管理する（ステップＳ１０）。そして、診療受付処理において、予約受付処理において受け付けた患者が予約された日時に来院したとき、当該患者の診療履歴や電子カルテ情報等の管理情報を読み出し、診療を支援する情報を表示させる（ステップＳ１２）。その後、診療入力処理において、診療行為や医薬品等の診療項目を入力して、診療区分毎に診療報酬点数計算を行う（ステップＳ１４）。続いて、必要に応じて、病名入力処理において、当該患者の病名等を入力してデータベースに登録し（ステップＳ１６）、最後に当該患者の会計処理を行う（ステップＳ１８）。この会計処理では、患者や保険者に対して、ステップＳ１４で計算した診療報酬点数に対応した請求が行われる。
【００３５】
本実施形態における診療報酬点数計算装置は、表示手段の表示領域内において区切り線により区切られた診療区分毎に診療報酬点数の計算を行うことができ、図１のステップＳ１４の診療入力処理において、診療区分や診療区分内の診療項目の入力及び編集を容易化して、煩雑な診療報酬点数の計算処理の効率化を図るものである。本実施形態では、同一診療区分内の全医薬品、又は全医薬品及びその用法を入力してから、区切り線を設定して診療区分を確定した後、入力した医薬品に対応する数量と回数とを設定でき、こうして設定された診療区分の診療報酬点数の計算を行うことができるようになっている。
【００３６】
図２に、本実施形態における診療報酬点数計算装置の構成例のブロック図を示す。
【００３７】
診療報酬点数計算装置１００は、表示手段としての表示装置１０と、入力手段としての入力装置２０と、記憶手段としての記憶装置３０と、表示装置１０と入力装置２０と記憶装置３０の制御を行う制御装置４０とを含む。表示装置１０は、制御装置４０によって生成された画像情報に基づいて情報を表示する。入力装置２０は、医療機関の担当者等のユーザの操作内容に対応した操作情報を制御装置４０に出力する。記憶装置３０は、予め登録情報が登録されたデータベースや制御装置４０によって生成された情報を記憶する。制御装置４０は、記憶装置３０に記憶された情報や、入力装置２０を介して診療入力の際の入力情報に基づいて制御装置４０を構成する各部や診療報酬点数計算装置１００を構成する各装置の制御情報や、表示装置１０の画像情報を生成する。
【００３８】
表示装置１０としては、ＣＲＴ（Cathode-Ray Tube）、液晶ディスプレイ、プラズマディスプレイ、有機ＥＬ（Electro-Luminescence）ディスプレイやプロジェクタ等の公知の表示装置を採用できる。入力装置２０としては、キーボード、マウスやタッチパネル等のユーザの操作内容に対応した信号を生成できるものを採用できる。記憶装置３０は、ＨＤＤ（Hard Disk Drive）装置、ＤＶＤ（Digital Versatile Disc）等の情報の読み出し又は書き込みが可能な装置を採用できる。制御装置４０は、中央演算処理装置（Central Processing Unit：ＣＰＵ）、読み出し専用メモリ（Read Only Memory：ＲＯＭ）及びランダムアクセスメモリ（Random Access Memory：ＲＡＭ）を有し、ＲＯＭ又はＲＡＭに格納されたプログラムをＣＰＵが読み込み、該プログラムに対応した処理をＣＰＵが実行することで各種の機能を実現する装置を採用できる。
【００３９】
制御装置４０において、所定のプログラムを読み込んだＣＰＵが該プログラムに対応した処理を実行することで、区切り線設定部４２、診療項目受付処理部５０、及び診療報酬点数計算部４４の各部の機能を実現することができる。即ち、上記のプログラムをコンピュータにインストールして起動させることで、該コンピュータを診療報酬点数計算装置１００として機能させることができる。なお、上記のプログラムを記録媒体に読み取り可能に構成したり、或いはネットワークを介してダウンロード可能な状態に構成したりするようにしてもよい。
【００４０】
区切り線設定部４２（区切り線設定手段）は、表示装置１０の表示領域内に、診療区分毎に区切り線により区切られる領域を設定する処理を行う。区切り線の設定は、ユーザからの操作情報を受けて設定される。
【００４１】
診療項目受付処理部５０（診療項目受付処理手段）は、診療区分に対応した診療項目の入力欄を表示して該診療項目の入力を促し、入力装置２０を介した診療項目の受付処理を行う。より具体的には、診療項目受付処理部５０は、医薬品情報受付処理部５２（医薬品情報受付処理手段）と、用法情報受付処理部５４（用法情報受付処理手段）と、医薬品数量情報受付処理部５６（医薬品数量情報受付処理手段）と、回数情報受付処理部５８（回数情報受付処理手段）とを含む。
【００４２】
医薬品情報受付処理部５２は、当該診療区分内の全医薬品を構成する各医薬品の医薬品情報（以下では単に「医薬品」と省略、以下同様）を順番に受け付ける処理を行う。用法情報受付処理部５４は、当該診療区分内の全医薬品の用法に対応した用法情報（以下では単に「用法」と省略、以下同様）を受け付ける処理を行う。医薬品数量情報受付処理部５６は、医薬品情報受付処理部５２によって当該診療区分内の全医薬品を受け付けた後、各医薬品に対応した医療品数量情報（以下では単に「数量」と省略、以下同様）を順番に受け付ける処理を行う。回数情報受付処理部５８は、医薬品数量情報受付処理部５６によって全医薬品の数量を受け付けた後、回数情報（以下では単に「回数」と省略、以下同様）を受け付ける。
【００４３】
そして、医薬品数量情報受付処理部５６及び回数情報受付処理部５８は、区切り線設定部４２によって区切り線により区切られた当該診療区分内の「数量」及び「回数」を受け付ける。なお、用法情報受付処理部５４による「用法」の受け付けを省略して、「数量」及び「回数」の受け付けを行うようにしてもよい。「医薬品」、その「数量」及び「回数」が設定されれば、当該診療区分内の診療報酬点数を計算できる。
【００４４】
診療報酬点数計算部４４（診療報酬点数計算手段）は、診療項目受付処理部５０によって受け付けられた診療項目に基づいて、診療区分毎に診療報酬点数の計算処理を行う。より具体的には、診療報酬点数計算部４４は、医薬品情報受付処理部５２によって受け付けられたすべての「医薬品」と、医薬品数量情報受付処理部５６によって受け付けられた各医薬品に対応した「数量」と、回数情報受付処理部５８によって受け付けられた「回数」とに基づいて、当該診療区分の診療報酬点数の計算処理を行う。この診療報酬点数の計算処理においては、診療区分内の診療項目毎に、又は診療項目の組み合わせ等に対応した予め決められた診療報酬点数に「数量」と「回数」とを掛け合わせる等の所定の計算式によって診療報酬点数が求められる。
【００４５】
記憶装置３０は、患者データベース３２と、医薬品情報属性テーブル３４（医薬品情報属性記憶手段）とを含む。患者データベース３２には、診療入力対象の患者の診療履歴等の診療情報が記憶されており、少なくとも診療入力の際には患者データベース３２に記憶される診療情報が読み出されて、診療入力後の情報が追加登録されて患者データベース３２が更新される。医薬品情報属性テーブル３４には、医薬品毎に「医薬品」に対応した入力区分が記憶されている。この入力区分は、「医薬品」に対応した「数量」を入力する際の入力様式を規定する。医薬品数量情報受付処理部５６は、医薬品情報属性テーブル３４に記憶される「医薬品」の入力区分に基づいて、次に更新すべき「医薬品」に対応した「数量」を受け付ける処理を行う。
【００４６】
以上のような構成により、本実施形態では、ユーザによる診療入力の際に、診療区分内に設定される診療項目として「医薬品」をすべて受け付けた後に、必要に応じて当該診療区分の「用法」を受け付け、その後、各「医薬品」に対応した「数量」を順番に受け付けて、最後に「回数」を受け付ける。例えば、ユーザは、全「医薬品」を診療項目として入力した後に、区切り線設定を行い、診療区分を確定させる。そして、当該診療区分の「数量」、「回数」が設定されると、当該診療区分の診療報酬点数計算を行う。なお、診療報酬点数計算は、「数量」や「回数」のそれぞれが入力されるたびに計算結果を更新するようにしてもよい。
【００４７】
このような本実施形態によれば、例えば診療区分内に設定する医薬品の名称やコードを記憶していない、経験の浅い医療機関の担当者が、当該診療区分内に入力する医薬品についてコードを調べながら入力した後に数量を入力し、再び次の医薬品についてコードを調べる等の繰り返し作業を行うことなく、全医薬品を入力してから数量を設定できるようにしたので、医薬品の入力作業を効率化できるようになる。
【００４８】
ここで、本実施形態における医薬品入力の一例を表示装置１０に表示された画面の一例を用いて説明する。
【００４９】
以下では、本実施形態における診療報酬点数計算装置１００が、表示装置１０の所定の表示領域内に、いわゆる表計算ソフトのように格子状にセルを表示し、１行を構成する各セルに診療項目が入力されるものとする。即ち、表示領域の水平方向に診療項目を表示し、表示領域の垂直方向に診療区分内の各診療項目を並べて表示し、水平方向の区切り線により診療区分毎に区切られた領域が形成されるものとする。この場合、当該診療区分は、水平方向に延びる区切り線によって他の診療区分と区切られて表示される。
【００５０】
図３に、本実施形態における診療区分の説明図を示す。図３は、予め決められたコードに診療区分が対応づけられている様子を表している。
【００５１】
診療区分には、コード「１１」に対応した「初診」、コード「１２」に対応した「再診」やコード「２１」に対応した「内服」等のように、コードと診療区分の内容が予め決められている。そして、診療区分に応じて、複数の診療項目が設定できるようになっている。このような診療区分には、例えば「診療行為」、「医薬品」、「特定器材」、「コメント」、「修飾語」、「用法」等の診療項目が設定できる。そして、診療項目、又は同一診療区分内の診療項目の組み合わせに応じて、診療報酬点数が決められており、これに「数量」や「回数」を掛け合わせることで、各診療区分内の診療報酬点数が求められる。本実施形態は、診療項目として「医薬品」とこれに関連する「数量」及び「回数」を入力する際の効率化を図る。
【００５２】
図４、図５、図６及び図７に、本実施形態における診療区分内の医薬品入力の例の説明図を示す。図４〜図７は、表示装置１０の画面の一例を表したものであり、それぞれ入力された診療項目が１行ずつ表示されている。画面の水平方向の実線が区切り線であり、この区切り線により区切られた領域に記載された診療項目が１つの診療区分内の診療項目となる。図４は、診療区分が「再診」、２種類の「内服」のそれぞれの診療項目が設定されている場合の表示装置１０の画面Ｇ１の一例を表す。図５は、図４の画面Ｇ１において「医薬品」及び「用法」を入力した後に「数量」を入力する際の画面Ｇ２の一例を表す。図６は、図５の画面Ｇ２において「数量」を入力した後に「回数」を入力する際の画面Ｇ３の一例を表す。図７は、図６の画面Ｇ３において当該診療区分の診療報酬点数を確定させた後の画面Ｇ４の一例を表す。
【００５３】
診療入力の際、まず、ユーザは、制御装置４０が生成した画像情報に基づいて表示装置１０に表示された画面を見ながら１行ずつ診療項目を入力していく。図４では、「再診」の診療区分、「内服」の診療区分に、それぞれ診療項目が設定される。特に図４の画面Ｇ１の１行目で構成される「再診（診療所）」を診療項目とする診療区分は、２行目以降の診療項目で構成される診療区分とは別の診療区分であり、１行目と２行目との間に、ユーザの操作により設定された区切り線が、実線で他の線と区別できるように表示されている。
【００５４】
ここで、図４の画面Ｇ１において、２行目以降の診療区分において「医薬品」及び「用法」を入力する場合が考える。
【００５５】
ユーザは、２行目に移動したカーソルで指定された「名称」欄に「アレグラ錠３０ｍｇ」を入力し、改行キー等で入力を完了させる。すると、本実施形態では、カーソルを同一行の「数量」欄に移動させることなく、３行目の「名称」欄に移動させて次の「医薬品」の入力を待つ。ユーザは、３行目において「ＰＬ顆粒」の入力を完了させると、同様にして次の４行目にカーソルを移動させて「医薬品」の入力を促す。こうして、当該診療区分の全医薬品の「医薬品」のみが順番に受け付けられる。
【００５６】
図４に示すようにユーザにより「ブスコパン錠１０ｍｇ」を入力した後、次の５行目において、ユーザにより、「分２  朝・昼食後」という「用法」が受け付けられ、且つ区切り線が設定されると、図５の画面Ｇ２に示すように、５行目と６行目との間に区切り線を表示させ、２行目の「数量」欄にカーソルを移動させる。ここで、ユーザが、「アレグラ錠３０ｍｇ」の「数量」を入力し、改行キー等で入力完了させると、カーソルは３行目の「数量」欄にカーソルを移動させる。こうして、当該診療区分の全医薬品のそれぞれの「数量」のみが順番に受け付けられる。
【００５７】
当該診療区分の全医薬品の「数量」の受け付けが終了すると、図６の画面Ｇ３に示すように「回数」欄にカーソルを移動させ、ユーザが「回数」を設定すると、図７の画面Ｇ４に示すように、図４〜図７の２行目〜５行目までの当該診療区分の診療報酬点数の最終結果を表示させる。ユーザにより設定された「回数」は、上記の医療区分と関連付けられた患者データベース３２に登録される。
【００５８】
このように、診療区分内の「医薬品」をすべて入力させた後に、「数量」、又は「数量」及び「用法」を入力させ、その後、「回数」を入力させることで、経験の浅い医療機関の担当者の入力作業を大幅に効率化できるようになる。
【００５９】
このような本実施形態における診療報酬点数計算装置１００の処理は、次のようなフローに従って行われる。
【００６０】
図８に、本実施形態における診療報酬点数計算装置１００の処理例のフロー図を示す。図８は、診療入力の際に、「医薬品」入力にかかわる部分の処理例を表す。例えば、制御装置４０を構成するＲＯＭ又はＲＡＭに図８に示す処理手順を指示するプログラムが記憶されており、制御装置４０を構成するＣＰＵがＲＯＭ又はＲＡＭから読み込んだプログラムに対応した処理を実行することで、ソフトウェア処理を実現できるようになっている。
【００６１】
図８の処理に先立って、例えば記憶装置３０の患者データベース３２から診療を受けた患者の情報が読み出されており、この患者の診療入力のための画面が表示装置１０に表示されているものとする。
【００６２】
まず、制御装置４０の診療項目受付処理部５０のうち、医薬品情報受付処理部５２は、表示装置１０の表示領域内に表示させたカーソルが位置するセルへの入力を促し、ユーザが入力装置２０を介して入力した「医薬品」を受け付ける（ステップＳ３０）。受け付けられた「医薬品」は、その都度、表示装置１０において、入力されたセル内に表示される。医薬品情報受付処理部５２は、図４〜図７で示した「名称」欄において１つの「医薬品」の受け付けが完了すると、次の「名称」欄にカーソルを移動させて入力を促す。
【００６３】
診療項目受付処理部５０は、「医薬品」の入力、「用法」の入力、又は区切り設定の指示のいずれが入力されるかを監視しており、「医薬品」が入力されたときに引き続き医薬品情報受付処理部５２が「医薬品」の受け付けを継続し、「用法」が入力されたとき、用法情報受付処理部５４が、「用法」を受け付ける（ステップＳ３２）。ステップＳ３２において受け付けられた「用法」は、表示装置１０において、入力されたセル内に表示される。
【００６４】
「用法」の受け付けが完了し、ユーザにより区切り線の設定指示があると、区切り線設定部４２が、区切り線の設定指示を受け付け、設定指示があったとき指定された位置に区切り線を設定して診療区分を確定させる（ステップＳ３４）。区切り線は、表示装置１０において実線で表示され、診療区分を見分けやすくする。ここで、例えばステップＳ３０において受け付けられた「医薬品」、及びステップＳ３２において受け付けられた「用法」は、当該医療区分と関連付けられて患者データベース３２に登録される。
【００６５】
続いて、医薬品数量情報受付処理部５６は、ステップＳ３０において受け付けられた「医薬品」に対応した行にカーソルを移動させ、当該「医薬品」に対応する「数量」を受け付ける（ステップＳ３６）。ステップＳ３６において受け付けられた「数量」は、上記の対応する「医薬品」と関連付けられて患者データベース３２に登録される。
【００６６】
ステップＳ３０において受け付けられたすべての「医薬品」について「数量」が設定されると、回数情報受付処理部５８は、所定の位置にカーソルを移動させて、ユーザによる「回数」を受け付ける（ステップＳ３８）。ステップＳ３８において受け付けられた「回数」は、上記の医療区分と関連付けられて患者データベース３２に登録される。
【００６７】
そして、診療報酬点数計算部４４は、ステップＳ３４で確定した診療区分内の「医薬品」、その「数量」及び「回数」に基づいて診療報酬点数を計算し（ステップＳ４０）、一連の処理を終了する（エンド）。
【００６８】
図９に、図８のステップＳ３６における医薬品数量情報受付処理の処理例のフロー図を示す。例えば、制御装置４０を構成するＲＯＭ又はＲＡＭに図９に示す処理手順を指示するプログラムが記憶されており、制御装置４０を構成するＣＰＵがＲＯＭ又はＲＡＭから読み込んだプログラムに対応した処理を実行することで、ソフトウェア処理を実現できるようになっている。
【００６９】
まず、医薬品数量情報受付処理部５６は、当該医療区分内で診療項目として「医薬品」が設定された行を探索する（ステップＳ５０）。続いて、医薬品数量情報受付処理部５６は、医薬品情報属性テーブル３４を参照して、ステップＳ５０において探索された「医薬品」に対応して記憶された入力区分を解析する（ステップＳ５２）。
【００７０】
図１０（Ａ）、図１０（Ｂ）に、本実施形態における医薬品情報属性テーブル３４の説明図を示す。図１０（Ａ）は、医薬品情報属性テーブル３４の記憶内容の一例を表す。図１０（Ｂ）は、図１０（Ａ）の入力区分の説明図を表す。
【００７１】
図１０（Ａ）に示すように、医薬品情報属性テーブル３４には、少なくとも診療項目として設定された「医薬品」に対応して入力区分が記憶されている。この入力区分には、予め決められた複数の区分のうちの１つを選択して設定できるようになっており、例えば「入力待ち」、「固定値入力」、「入力待ち＋固定値入力」等がある。
【００７２】
「入力待ち」は、区切り線を設定したときに「数量」欄にカーソルを移動させ、且つ「数量」欄を選択状態にする入力区分であり、医薬品等の処方時に数量が不定なものに対して使用される。例えば、「数量」に既入力値がない場合には、初期値「１」が「数量」欄に設定されて選択状態とされ、既入力値がある場合には、既入力値を選択状態とする。ここでは、「数量」を入力する際に、当該「医薬品」に対応した「数量」のセルにカーソルが移動したときに、そのセルに既に設定されている「数量」を選択状態にする。
【００７３】
「固定値入力」は、区切り線を設定したときに当該「数量」欄にカーソルを移動させることなく、マスターで設定された値が「数量」欄に設定され、カーソルを次の「数量」欄若しくは最下段に移動させる入力区分である。診療行為、コメント、用法等の単位を持たない診療項目、又は処方時に数量が必ず固定の医薬品に対して使用される。
【００７４】
「固定値入力＋入力待ち」は、区切り線を設定したときに「数量」欄にカーソルを移動させ、且つ「数量」欄を選択状態にする入力区分であり、処方時に数量が必ずほぼ一定の医薬品に対して使用される。例えば、「数量」欄にはマスターで設定された値が設定され、この「数量」欄が選択状態のまま、「数量」の入力待ち状態となる。
【００７５】
このような入力区分を参照することで、以下のような「数量」の設定を行うことで、１行ずつ「数量」を入力する必要がなくなり、「数量」の入力効率を向上させることができるようになる。
【００７６】
図９に戻って説明を続ける。ステップＳ５２において入力区分を解析した結果、入力区分が「入力待ち」であると判別されたとき（ステップＳ５４：Ｙ）、医薬品数量情報受付処理部５６は、ステップＳ５０において探索された行の「数量」欄にカーソルを移動させ（ステップＳ５６）、移動した「数量」欄に既に設定されている数値である「数量」（既入力値）を選択状態にする処理を行う（ステップＳ５８）。
【００７７】
ステップＳ５４において、入力区分が「入力待ち」ではないと判別されたとき（ステップＳ５４：Ｎ）、医薬品数量情報受付処理部５６は、該入力区分が「固定値入力＋入力待ち」であるか否かを判別する（ステップＳ６０）。ステップＳ６０において、入力区分が「固定値入力＋入力待ち」であると判別されたとき（ステップＳ６０：Ｙ）、医薬品数量情報受付処理部５６は、ステップＳ５０において探索された行の「数量」欄にカーソルを移動させ（ステップＳ６２）、移動した「数量」欄に予め決められた固定値を「数量」として表示し（ステップＳ６４）、且つ該固定値を選択状態にする処理を行う（ステップＳ６６）。
【００７８】
ステップＳ６０において、入力区分が「固定値入力＋入力待ち」ではないと判別されたとき（ステップＳ６０）、医薬品数量情報受付処理部５６は、該入力区分が「固定値入力」であるか否かを判別する（ステップＳ６８）。ステップＳ６８において、入力区分が「固定値入力」であると判別されたとき（ステップＳ６８：Ｙ）、医薬品数量情報受付処理部５６は、ステップＳ５０において探索された行の「数量」欄に予め決められた固定値を「数量」として表示する処理を行う（ステップＳ７０）。
【００７９】
なお、ステップＳ６８において、入力区分が「固定値入力」ではないと判別されたとき（ステップＳ６８：Ｎ）、医薬品数量情報受付処理部５６は、ステップＳ５０に戻り、「医薬品」が設定された次の行の探索を開始する。この場合、当該「医薬品」については、「数量」の入力が省略されるので、診療項目の入力作業を効率ができる。
【００８０】
ステップＳ５８、ステップＳ６６、又はステップＳ７０に続いて、医薬品数量情報受付処理部５６は、ステップＳ５６又はステップＳ６２で移動させたカーソルによって指定されるセルに、ユーザにより入力装置２０を介して入力された「数量」を受け付ける処理を行う（ステップＳ７２）。ステップＳ７２では、ユーザにより新たな数値が入力された後に改行キーが押下されたり、そのまま改行キーが押下されたりしたことを条件に、「数量」が受け付けられる。
【００８１】
ステップＳ７２に続いて、診療報酬点数計算部４４は、当該医療区分内の診療報酬点数の計算を行う（ステップＳ７４）。なお、ステップＳ７４では、計算すべき診療報酬点数のうち、ステップＳ７２で受け付けられた「数量」が反映される一部のみが更新される。
【００８２】
続いて、設定すべき次の「医薬品」の「数量」があるとき（ステップＳ７６：Ｙ）、ステップＳ５０に戻って、医薬品数量情報受付処理部５６は、処理を継続する。一方、設定すべき次の「医薬品」の「数量」がないとき（ステップＳ７６：Ｎ）、医薬品数量情報受付処理部５６は、一連の処理を終了する（エンド）。
【００８３】
このように、本実施形態によれば、医薬品数量情報受付処理部５６は、「医薬品」の入力区分に基づいて、次に更新すべき「医薬品」に対応した「数量」を受け付けることができる。これによって、ユーザは、次に設定すべき「数量」の入力位置までカーソルを移動させる必要がなくなり、「数量」の入力を大幅に効率化できる。
【００８４】
更に、本実施形態によれば、医薬品数量情報受付処理部５６は、直前の「数量」が更新された後、次の「数量」を選択した入力待ち状態で、新たな「数量」を受け付けることができる。これにより、「数量」を変更する場合に、ユーザが「数量」を選択する操作を行ってから変更すべき「数量」を入力する必要がなくなり、「数量」を例えば数値として入力することを繰り返すのみですべての「医薬品」の「数量」を設定でき、入力効率を大幅に向上させることができるようになる。
【００８５】
続いて、図８及び図９で説明した処理により実現される本実施形態の他の機能の一例について、図１１〜図１８を参照しながら説明する。
【００８６】
図１１、図１２、図１３、図１４、図１５、図１６、図１７、及び図１８に、本実施形態における診療報酬点数計算装置１００が実現する機能の一例の説明図を示す。図１１〜図１７は、図４〜図７と同様に、表示装置１０の画面の一例を表したものであり、それぞれ入力された診療項目が１行ずつ表示されている。
【００８７】
図１１は、「再診」の診療区分のみが設定されている診療入力の際の表示装置１０の画面Ｇ１０の一例を表す。以下では、図１１の画面Ｇ１０の状態から「医薬品」を入力していくものとする。即ち、図１２は、図１１の画面Ｇ１０の状態から４行目〜８行目に「内服」の診療区分に５つの診療項目が入力されている画面Ｇ１１を表す。図１３〜図１６は、図１２の画面Ｇ１１の状態から順番に「数量」が設定されるときの画面Ｇ１２〜Ｇ１５を表す。図１７は、図１６の画面Ｇ１５の状態から次の「回数」が設定されるときの画面Ｇ１６を表す。図１８は、図１７の画面Ｇ１６の状態から「回数」が設定された後の画面Ｇ１７を表す。
【００８８】
本実施形態における診療報酬点数計算装置１００は、図１１の画面Ｇ１０を表示した状態で、次の診療区分の診療項目の入力を促す。このとき、４行目から８行目まで、各行の診療項目が設定されるたびに、１段下のセルにカーソルを移動させて、「ベイスン錠０．３  ０．３ｍｇ」、「アレビアチン錠２５ｍｇ」、「ブロプレス錠８  ８ｍｇ」、「ガスモチン錠５ｍｇ」、「アマリール１ｍｇ錠」を順番に受け付けていく。各診療項目が受け付けられるたびに、各診療項目に対応した診療報酬点数と、「数量」の初期値が図１２に示すように追加される。
【００８９】
ここで、ユーザが区切り線を設定すると、図１３に示すように８行目と９行目との間に実線で表示される区切り線が設定され、４行目〜８行目までの診療区分が確定される。このとき、まず、４行目の診療項目に対応した「数量」欄のセルにカーソルを移動させて、初期値を選択状態にして、「ベイスン錠０．３  ０．３ｍｇ」に対応する「数量」の入力を受け付ける。そして、この「数量」を受け付けると、図１３の画面Ｇ１２に示すように、５行目の診療項目に対応した「数量」欄のセルにカーソルを移動させて、初期値を選択状態にする。ここでも、初期値を選択する操作をユーザが行うことなく、更新する「数量」（図１４の画面Ｇ１４に示すように、本例では「３」）を入力するだけ済む。
【００９０】
同様に、図１４の画面Ｇ１３に示す６行目、図１５の画面Ｇ１４に示す７行目、図１６の画面Ｇ１５に示す８行目の「数量」についても、直前の「数量」の受け付けが完了したら、カーソルを移動させて初期値を選択状態にしたままユーザからの入力を受け付ける。
【００９１】
こうして、当該医療区分内にすべての「医薬品」について「数量」の入力が完了すると、図１７の画面Ｇ１６に示すように、当該医療区分の「回数」欄にカーソルを移動させて、初期値を選択状態にし、ユーザからの入力を受け付ける。
【００９２】
例えば、ユーザにより「回数」として「１４」が入力されると、図１８の画面Ｇ１７に示すように、当該医療区分の診療入力を終了し、診療報酬点数計算を行う。
【００９３】
以上、本発明を、診療報酬点数計算装置及びその処理方法等を例に説明したが、本発明はこれに限定されるものではない。例えば、本発明を実現するための診療報酬点数計算装置の処理方法の処理手順が記述されたプログラムや、該プログラムが記録された記録媒体であってもよい。
【００９４】
また、本発明を上記の各実施形態に基づいて説明したが、本発明は上記の各実施形態に限定されるものではなく、その要旨を逸脱しない範囲において種々の態様において実施することが可能であり、例えば次のような変形も可能である。
【００９５】
（１）上記の実施形態では、入力欄としてセルを例に説明したが本発明はこれに限定されるものではない。
【００９６】
（２）上記の実施形態では、表示装置１０の表示領域にセルを表示させて、このセルに診療項目等を入力及び表示させるようにしていたが、本発明はこれに限定されるものではない。
【符号の説明】
【００９７】
１０…表示装置、  ２０…入力装置、  ３０…記憶装置、  ３２…患者データベース、
３４…医療品情報属性テーブル、  ４０…制御装置、  ４２…区切り線設定部、
４４…診療報酬点数計算部、  ５０…診療項目受付処理部、
５２…医療品情報受付処理部、  ５４…用法情報受付処理部、
５６…医薬品数量情報受付処理部、  ５８…回数情報受付処理部、
１００…診療報酬点数計算装置、  Ｇ１〜Ｇ４，Ｇ１０〜Ｇ１７…画面
【図１】
2011013777.tif 000003
【図２】
2011013777.tif 000004
【図３】
2011013777.tif 000005
【図８】
2011013777.tif 000006
【図９】
2011013777.tif 000007
【図１０】
2011013777.tif 000008
【図４】
2011013777.tif 000009
【図５】
2011013777.tif 000010
【図６】
2011013777.tif 000011
【図７】
2011013777.tif 000012
【図１１】
2011013777.tif 000013
【図１２】
2011013777.tif 000014
【図１３】
2011013777.tif 000015
【図１４】
2011013777.tif 000016
【図１５】
2011013777.tif 000017
【図１６】
2011013777.tif 000018
【図１７】
2011013777.tif 000019
【図１８】
2011013777.tif 000020